(57)【要約】【課題】  背表紙の背見出し用紙が着脱交換可能な構造を有するファイルにおいて、背見出し用紙収容部への背見出し用紙の挿入および抜出しが容易であるファイルおよびその背見出し用紙を提供する。【解決手段】  背表紙１から表紙および裏表紙の一部にわたる背部に、表紙側と裏表紙側の両端１ａを接着して取付けられ、矩形状の透明性を有するビニール製シートからなる背見出しカバーに、背表紙部分の上部または／および下部に、曲線状の切込み１ａを形成し、また、前記背見出しカバーとファイル本体との隙間の背見出し用紙収容部に挿入する矩形状の背見出し用紙の上部または／および下部の両角部を面取りする。【選択図】  図１
0003102219.tif 000002
【実用新案登録請求の範囲】
【請求項１】
背表紙の背見出し用紙が着脱交換可能な構造を有するファイルであって、
前記背表紙から表紙および裏表紙の一部にわたる背部に、表紙側と裏表紙側の両端を接着して取付けられ、矩形状の透明性を有するビニール製シートからなる背見出しカバーと、
前記背見出しカバーとファイル本体との隙間の背見出し用紙収容部に挿入され、前記背見出し用紙収容部に対応する大きさの矩形状の交換可能な背見出し用紙とを備え、
前記背見出しカバーの背表紙部分の上部または／および下部に、曲線状の切込みが形成されていることを特徴とするファイル。
【請求項２】
背表紙の背見出し用紙が着脱交換可能な構造を有するファイルにおいて、前記背表紙から表紙および裏表紙の一部にわたる背部に、表紙側と裏表紙側の両端を接着して取付けられ、矩形状の透明性を有するビニール製シートからなる背見出しカバーと、ファイル本体との隙間の背見出し用紙収容部に挿入される背見出し用紙であって、
前記背見出し用紙収容部に対応する大きさの矩形状であり、その上部または／および下部の両角部が面取りされていることを特徴とする背見出し用紙。
【請求項３】
上部または／および下部の辺の長さが、背表紙の幅よりも小さくなるように面取りされていることを特徴とする請求項２記載の背見出し用紙。
【考案の詳細な説明】
【技術分野】
【０００１】
本考案は、書類、写真等を綴じたり、収納する事務文具用品のファイル、バインダまたはアルバム等（以下、ファイルと総称する）の構造に関し、詳細には、背表紙の背見出し用紙が着脱交換可能な構造を有するファイルおよびその背見出し用紙に関する。
【背景技術】
【０００２】
一般に、書類、写真等を綴じたり、収納する事務文具用品のファイル、バインダまたはアルバム等の背表紙には、前記書類等の分類、整理等の便宜のため、表題、種類等を記載することができるように、背見出しが付されている。
前記背見出しは、直接表題等を記載する態様のもの、表題等を予め記載したシール、ラベル等を貼付する態様のもの等もあるが、これらは交換することが困難であるという欠点を有していた。
【０００３】
このため、上記欠点を解消するものとして、背見出しを交換可能とするため、ファイルの背表紙に、背見出し用紙が着脱交換可能な収容部を設けたファイルもある。
一般に、このようなファイルの背見出し用紙収容部は、ファイルの背表紙に矩形状の透明なビニール製シート等が重ねられ、該シート等の両端がファイルの表紙側および裏表紙側に折り曲げられて、該両端部がヒートシール等により接着され、背表紙とシート等との隙間に背見出し用紙を挿入する構造を有している。
【０００４】
上記のような背見出し用紙収容部を備えたファイルにおいては、矩形状の多少厚手の紙やプラスチック等からなる背見出し用紙に表題等を記載しておき、ファイルを左右に大きく開いて、ファイルの背表紙とフィルムとの間に形成された隙間に、前記背見出し用紙を挿入した後、ファイルを閉じて、背見出し用紙収容部に密着挿装させることにより、背見出しを交換可能なものとしていた。
【考案の開示】
【考案が解決しようとする課題】
【０００５】
しかしながら、上記従来のファイルの背見出し構造における背見出し用紙は、上述のように、背表紙から表紙側および裏表紙側にはみ出した両端部が、ファイルの背表紙と表紙および裏表紙との境界線に沿って、ファイル本体と同様の形状に折り曲げられるため、交換の際、抜き出しにくいものであった。
【０００６】
しかも、背見出し用紙とその収容部は、大きさがほぼ同等の矩形状であるため、挿入しにくく、このため、背見出し収容部に完全に収容されず、端部がはみ出した状態のままとなる場合もあった。
また、通常、該ファイルを書棚やファイルボックス等から取り出す際は、背見出しの上部に指を掛けるため、上記のように、背見出し用紙の端部がはみ出したままの状態であると、ファイルの取り出しを繰り返し何度も行ううちに、はみ出した背見出し用紙の上部が折れたり、破れたり、汚れたりして、美観上も好ましくないものであった。
【０００７】
本考案は、上記技術的課題を解決するためになされたものであり、背表紙の背見出し用紙が着脱交換可能な構造を有するファイルにおいて、背見出し用紙収容部への背見出し用紙の挿入および抜出しが容易であるファイルおよびその背見出し用紙を提供することを目的とするものである。
【課題を解決するための手段】
【０００８】
本考案に係るファイルは、背表紙の背見出し用紙が着脱交換可能な構造を有するファイルであって、前記背表紙から表紙および裏表紙の一部にわたる背部に、表紙側と裏表紙側の両端を接着して取付けられ、矩形状の透明性を有するビニール製シートからなる背見出しカバーと、前記背見出しカバーとファイル本体との隙間の背見出し用紙収容部に挿入され、前記背見出し用紙収容部に対応する大きさの矩形状の交換可能な背見出し用紙とを備え、前記背見出しカバーの背表紙部分の上部または／および下部に、曲線状の切込みが形成されていることを特徴とする。
上記のような切込みが形成されていることにより、背見出し用紙収容部から背見出し用紙を抜き出す際、該背見出し用紙に指を掛けることができるため、容易に抜き出すことができる。
【０００９】
また、本考案に係る背見出し用紙は、背表紙の背見出し用紙が着脱交換可能な構造を有するファイルにおいて、前記背表紙から表紙および裏表紙の一部にわたる背部に、表紙側と裏表紙側の両端を接着して取付けられ、矩形状の透明性を有するビニール製シートからなる背見出しカバーと、ファイル本体との隙間の背見出し用紙収容部に挿入される背見出し用紙であって、前記背見出し用紙収容部に対応する大きさの矩形状であり、その上部または／および下部の両角部が面取りされていることを特徴とする。
上記のように、背見出し用紙の角部を面取りしておくことにより、背見出し用紙収容部への挿入の際に、角部が途中で引っ掛かり、該背見出し用紙の指で押し込む部分が折れ曲がるようなことがなく、スムーズに挿入することができ、背見出し用紙がはみ出した状態でのファイルの使用を回避することができる。
【００１０】
前記背見出し用紙は、上部または／および下部の辺の長さが、背表紙の幅よりも小さくなるように面取りされていることが好ましい。
上記のように面取りしておくことにより、ファイルの背見出し用紙収容部へのガイドが容易となり、背見出し用紙をより容易に挿入することができる。
【考案の効果】
【００１１】
上述のとおり、本考案に係るファイルによれば、背表紙の背見出し用紙が着脱交換可能な構造を有するファイルにおいて、背見出し用紙収容部への背見出し用紙の挿入および抜出しを容易に行うことができる。
また、本考案に係る背見出し用紙を用いれば、背見出し用紙収容部への挿入の際、背見出し用紙の指で押し込む部分が折れ曲がることがなく、容易に挿入することができる。
したがって、背見出し用紙をその収容部からはみ出すことなく収容することができるため、ファイルを書棚やファイルボックス等から取り出す際にも、背見出し用紙が折れたり、破れたり、汚れたりして、美観を損ねるようなこともない。
【考案を実施するための最良の形態】
【００１２】
以下、本考案について、添付図面を参照して、より詳細に説明する。
図１に、本考案に係るファイルを概略的に示す。図１に示すように、本考案に係るファイルの背表紙２には、背見出しカバー１が取付けられている。該背見出しカバー１は、ファイル本体と縦の長さが同等である矩形状の透明性を有するビニール製シートからなる。
そして、前記背見出しカバー１は、表紙および裏表紙の一部にかかるように折り曲げられ、その表紙側と裏表紙側の両端部１ａがヒートシール等により接着されている。
前記背見出しカバー１とファイル本体との隙間が背見出し用紙収容部となる。
【００１３】
前記背見出しカバー１には、上部に曲線状の切込み１ｂが形成されている。
このような切込みが形成されていることにより、背見出し用紙を抜き出す際、該背見出し用紙に指を掛けることができるため、背見出しカバーと背見出し用紙が密着している場合であっても、容易に抜き出すことが可能となる。
このため、前記曲線状の切込み１ｂは、指を掛けることができる程度の大きさのＵ字状またはＲ形状等であることが好ましい。
【００１４】
また、図３に示すように、該切込み１ｂの部分は、背見出し用紙を抜き出す際に、指を傷つけることがないようにする観点から、角部がないようにＲ面取りしておくことがより好ましい。
【００１５】
前記切込み１ｂを形成する位置は、図１に示すような上部のみに限定されるものではなく、下部に形成してもよく、また、上部および下部の両方に形成してもよい。
このように、上部および下部の両方に切込みを形成しておくことにより、背見出し用紙を上部および下部のいずれからも抜き出しやすくすることができる。
【００１６】
前記ファイルにおける背見出し用紙の交換方法は、背見出し用紙を挿入する場合は、従来の背見出し用紙収容部が設けられたファイルと同様であり、前記背見出し用紙収容部に対応する大きさの矩形状の背見出し用紙に表題等を記載しておき、ファイルを左右に大きく開いて、ファイルの背表紙とフィルムとの隙間の背見出し用紙収容部に、前記背見出し用紙を挿入した後、ファイルを閉じることにより、前記背見出し用紙収容部に密着挿装させることができる。
また、背見出し用紙を抜き出す場合には、ファイルを左右に大きく開いて、背見出しカバー１の切込み１ｂの部分に指を掛けることにより、容易に抜き出すことができる。
【００１７】
なお、本考案におけるファイルとは、バインダファイル、レターファイル、写真ファイル、クリアーファイル等の各種ファイル、または、データバインダ、アルバム等も含む意味で用いられる。
また、ファイルの背表紙は、図１に示すような平面状のものに限定されず、丸みを帯びた形状のものであっても、同様に、本考案を適用することができる。
さらにまた、図１に示すファイルの背見出しカバーは、ファイル本体と縦の長さが同等であるが、ファイル本体よりも短く、背見出し用紙収容部が中間部までのものであっても、同様に、本考案を適用することができる。
【００１８】
図２に、本考案に係るファイルの背見出し用紙を示す。図２に示す背見出し用紙は、図１に示すような背見出し用紙収容部を有するファイルに好適に用いることができるものである。
図２に示す背見出し用紙は、基本的には、前記背見出し用紙収容部に対応する大きさの矩形状であり、下部の両角部が面取りされている。
このように、背見出し用紙の角部を面取りしておくことにより、該背見出し用紙を背見出し用紙収容部に挿入する際、角部が引っ掛かり、該背見出し用紙の指で押し込む部分が折れ曲がるようなことがなく、スムーズに挿入することが可能となる。
【００１９】
したがって、背見出し用紙をその収容部からはみ出すことなく収容することができるため、ファイルを書棚やファイルボックス等から取り出す際にも、背見出し用紙が折れたり、破れたり、汚れたりして、美観を損ねるようなこともない。
なお、図２に示したように面取りされた角部は、折れ曲がりを防止する観点からは、角部がないようにＲ面取りしておくことがより好ましい。
【００２０】
さらに、図２において、面取りされた背見出し用紙の下部の辺の長さｂは、背表紙の幅ａよりも小さいことがより好ましい。
該背見出し用紙は、ファイルの背表紙の幅ａに合わせて点線部で折り曲げられるが、このように面取りしておくことにより、該背見出し用紙の背見出し用紙収容部へのガイドが容易となり、背見出し用紙をより容易に挿入することができる。
【００２１】
上記のような面取りは、背見出し用紙の上部に形成してもよく、また、上部および下部の両方に形成してもよい。
これにより、背見出し用紙の上下いずれの方向からも、背見出し用紙収容部への挿入が容易となる。
【００２２】
なお、本考案に係る背見出し用紙の材質は、紙に限定されず、プラスチック製のシートからなるものであってもよい。
【図面の簡単な説明】
【００２３】
【図１】本考案に係るファイルの一例の概略を示した斜視図である。
【図２】本考案に係る背見出し用紙の一例を示した平面図である。
【図３】本発明に係るファイルの他の態様の背見出しカバーの切込みを示した平面図である。
【符号の説明】
【００２４】
１    背見出しカバー
１ａ  カバー端部
１ｂ  切込み
２    背表紙
【図１】
0003102219.tif 000003
【図２】
0003102219.tif 000004
【図３】
0003102219.tif 000005